(57)【要約】【課題】ユーザが常に最新の言葉に対応した辞書を使うことが可能となる辞書データの自動更新システムを提供することにある。【解決手段】辞書管理サーバ１は、ユーザ端末２から新語情報を受信するとその受信した新語情報毎に送信元のユーザ端末数を計数する。辞書管理サーバ１は、その計数したユーザ端末数が所定の閾値以上になったときには新語情報を市場で認知されたまたは市場で認知されつつある用語として自サーバ内に保存する。ユーザ端末２は、保存された新語情報の供給依頼を辞書管理サーバ１に行うことで辞書管理サーバ１から保存された新語情報を取得する。ユーザ端末２は、その取得した新語情報をユーザ辞書２４に登録することでユーザ辞書２４を更新する。この場合のユーザ端末２の供給依頼は、メール受信時またはユーザの画面操作または定期的に行う。【選択図】      図１
2005275446.tif 000002
【特許請求の範囲】
【請求項１】
ユーザ辞書を有する少なくとも２以上のユーザ端末と、前記ユーザ端末から送信された新語情報に基づき辞書情報を管理する辞書管理サーバと、前記ユーザ端末および辞書管理サーバとを相互に接続する通信ネットワークを備えた辞書情報の自動更新システムであって、
前記辞書管理サーバは、前記ユーザ端末から新語情報を受信するとその受信した新語情報毎に送信元のユーザ端末数を計数する計数手段と、
前記計数手段で計数したユーザ端末数が所定の閾値以上になったときには自サーバ内に保存する保存手段と、を有し、
前記ユーザ端末は、前記保存手段により保存された新語情報の供給依頼を送信することで前記辞書管理サーバから前記保存手段により保存された新語情報を取得する取得手段と、
前記取得手段により取得した新語情報を前記ユーザ辞書に登録することで前記ユーザ辞書を更新する更新手段と、を有することを特徴とする辞書情報の自動更新システム。
【請求項２】
少なくとも２以上のユーザ端末と、前記ユーザ端末から送信された新語情報に基づき自サーバ内の共通辞書を更新管理する辞書管理サーバと、前記ユーザ端末および辞書管理サーバとを相互に接続する通信ネットワークを備えた辞書情報の自動更新システムであって、
前記辞書管理サーバは、前記ユーザ端末から新語情報を受信した場合にその受信した新語情報が前記共通辞書に登録されていなければ前記受信した新語情報毎に送信元のユーザ端末数を計数する第１の計数手段と、
前記第１の計数手段で計数したユーザ端末数が所定の閾値以上になったときには対応する新語情報を前記共通辞書に登録することで前記共通辞書を更新する第１の更新手段と、を有することを特徴とする辞書情報の自動更新システム。
【請求項３】
前記ユーザ端末は、メール送信時に自端末内のユーザ辞書に登録した新語情報を前記辞書管理サーバに送信する第１の送信手段を有することを特徴とする請求項１または２記載の辞書情報の自動更新システム。
【請求項４】
前記ユーザ端末は、自端末内のユーザ辞書に登録した新語情報をユーザの画面操作により前記辞書管理サーバに送信する第２の送信手段を有することを特徴とする請求項１，２または３記載の辞書情報の自動更新システム。
【請求項５】
前記ユーザ端末は、予め決められた時間毎に自端末内のユーザ辞書に登録した新語情報を前記辞書管理サーバに送信する第３の送信手段を有することを特徴とする請求項１，２，３，または４記載の辞書情報の自動更新システム。
【請求項６】
前記ユーザ端末は、メール受信時に前記辞書管理サーバに新語情報供給依頼を行う第１の依頼手段と、
前記第１の依頼手段により受信した前記対応する新語情報または前記更新した共通辞書の内容を自端末内の前記ユーザ辞書に登録することで前記ユーザ辞書を更新する第２の更新手段と、を有し、
前記辞書管理サーバは、前記第１の依頼手段により前記新語情報供給依頼を受信すると前記ユーザ端末に前記対応する新語情報または前記更新した共通辞書の内容を送信する第４の送信手段を有することを特徴とする請求項２，３，４，または５記載の辞書情報の自動更新システム。
【請求項７】
前記ユーザ端末は、ユーザの画面操作により前記辞書管理サーバに新語情報供給依頼を行う第２の依頼手段と、
前記第２の依頼手段により受信した前記対応する新語情報または前記更新した共通辞書の内容を自端末内の前記ユーザ辞書に登録することで前記ユーザ辞書を更新する第３の更新手段と、を有し、
前記辞書管理サーバは、前記第２の依頼手段により前記新語情報供給依頼を受信すると前記対応する新語情報があれば、前記ユーザ端末に前記対応する新語情報または前記更新した共通辞書の内容を送信する第５の送信手段を有することを特徴とする請求項２，３，４，５，または６記載の辞書情報の自動更新システム。
【請求項８】
前記ユーザ端末は、予め決められた時間毎に辞書管理サーバに新語情報供給依頼を行う第３の依頼手段と、
前記第３の依頼手段により受信した前記対応する新語情報または前記更新した共通辞書の内容を自端末内の前記ユーザ辞書に登録することで前記ユーザ辞書を更新する第４の更新手段と、を有し、
前記辞書管理サーバは、前記第３の依頼手段により前記新語情報供給依頼を受信すると前記対応する新語情報があれば、前記ユーザ端末に前記対応する新語情報または前記更新した共通辞書の内容を送信する第６の送信手段を有することを特徴とする請求項２，３，４，５，６，または７記載の辞書情報の自動更新システム。
【請求項９】
前記辞書管理サーバは、前記ユーザ端末から新語情報を受信した場合にその受信した新語情報が登録されていなければ送信元のユーザＩＤの使用通知数を計数する第２の計数手段と、
前記第２の計数手段により計数した使用通知数の大きさに対応して新語情報提供サービスの割引価格を変動する割引手段と、を有することを特徴とする請求項２から８の内いずれか１つ記載の辞書情報の自動更新システム。
【請求項１０】
入力された新語情報に基づき自サーバ内の共通辞書を更新管理する辞書管理サーバであって、
前記新語情報の利用通知を受信した場合にその新語情報が前記共通辞書に登録されていなければ前記新語情報毎に入力数を計数する計数手段と、
前記入力数が所定の閾値以上になったときには対応する新語情報を保存する保存手段と、
新語情報供給依頼の入力があった場合に前記保存手段により保存した新語情報を出力する出力手段と、を有することを特徴とする辞書管理サーバ。
【請求項１１】
入力された新語情報に基づき自サーバ内の共通辞書を更新管理する辞書管理サーバであって、
前記新語情報が入力された場合に前記受信した新語情報毎に入力数を計数する計数手段と、
前記入力数が所定の閾値以上になったときには対応する新語情報を前記共通辞書に登録することで前記共通辞書を更新する第１の更新手段と、
新語情報供給依頼の入力があった場合に前記対応する新語情報があれば前記対応する新語情報または前記更新した共通辞書の内容を出力する出力手段と、を有することを特徴とする辞書管理サーバ。
【請求項１２】
前記新語情報が入力された場合にその新語情報が登録されていなければ入力元のユーザＩＤの使用通知数を計数する第２の計数手段と、
前記第２の計数手段により計数した使用通知数の大きさに対応して新語情報提供サービスの割引価格を変動する割引手段と、を有することを特徴とする請求項１０または１１記載の辞書管理サーバ。
【請求項１３】
少なくとも２以上のユーザ端末と、前記ユーザ端末から送信された新語情報に基づき辞書情報を更新管理する辞書管理サーバと、前記ユーザ端末および辞書管理サーバとを相互に接続する通信ネットワークにおける辞書情報の自動更新方法であって、
新語情報の利用通知を受信した場合にその受信した新語情報が前記共通辞書に登録されていなければ前記受信した新語情報毎にユーザ端末数を計数するステップと、
前記計数したユーザ端末数が所定の閾値以上になったときには新語情報供給サービスの契約をした各ユーザの前記ユーザ端末から新語情報供給依頼を受信するまでユーザＩＤ毎に前記対応する新語情報を一時的に保存するステップと、を含むことを特徴とする辞書情報の自動更新方法。
【請求項１４】
前記ユーザ端末が、メール送信時に自端末内のユーザ辞書に登録した新語情報を新語情報の利用通知として前記辞書管理サーバに送信するステップを含むことを特徴とする請求項１３記載の辞書情報の自動更新方法。
【請求項１５】
前記ユーザ端末が、自端末内のユーザ辞書に登録した新語情報を新語情報の利用通知としてユーザの画面操作により前記辞書管理サーバに送信するステップを含むことを特徴とする請求項１３または１４記載の辞書情報の自動更新方法。
【請求項１６】
前記ユーザ端末が、予め決められた時間毎に自端末内のユーザ辞書に登録した新語情報を新語情報の利用通知として前記辞書管理サーバに送信するステップを含むことを特徴とする請求項１３，１４，または１５記載の辞書情報の自動更新方法。
【請求項１７】
前記ユーザ端末が、メール受信時に前記辞書管理サーバに前記新語情報供給依頼を行うステップと、
前記辞書管理サーバが、前記ユーザ端末から前記新語情報供給依頼を受信した場合にユーザＩＤに対応して一時的に保存した前記対応する新語情報があれば前記ユーザ端末に前記対応する新語情報を送信するステップと、
前記ユーザ端末が、前記新語情報供給依頼により受信した前記対応する新語情報を自端末内の前記ユーザ辞書に登録することで前記ユーザ辞書を更新するステップと、を含むことを特徴とする請求項１３，１４，１５，または１６記載の辞書情報の自動更新方法。
【請求項１８】
前記ユーザ端末が、ユーザの画面操作により前記辞書管理サーバに新語情報供給依頼を行うステップと、
前記辞書管理サーバが、前記ユーザ端末から前記新語情報供給依頼を受信した場合にユーザＩＤに対応して一時的に保存した前記対応する新語情報があれば前記ユーザ端末に前記対応する新語情報を送信するステップと、
前記ユーザ端末が、前記新語情報供給依頼により受信した前記対応する新語情報を自端末内の前記ユーザ辞書に登録することで前記ユーザ辞書を更新するステップと、を含むことを特徴とする請求項１３，１４，１５，１６，または１７記載の辞書情報の自動更新方法。
【請求項１９】
前記ユーザ端末が、予め決められた時間毎に前記辞書管理サーバに新語情報供給依頼を行うステップと、
前記辞書管理サーバが、前記ユーザ端末から前記新語情報供給依頼を受信した場合にユーザＩＤに対応して一時的に保存した前記対応する新語情報があれば前記ユーザ端末に前記対応する新語情報を送信するステップと、
前記ユーザ端末が、前記新語情報供給依頼により受信した前記対応する新語情報を自端末内の前記ユーザ辞書に登録することで前記ユーザ辞書を更新するステップと、を含むことを特徴とする請求項１３，１４，１５，１６，１７，または１８記載の辞書情報の自動更新方法。
【請求項２０】
前記辞書管理サーバが、前記ユーザ端末から新語情報の利用通知を受信した場合にその受信した新語情報が登録されていなければ送信元のユーザＩＤの使用通知数を計数するステップと、
前記辞書管理サーバが、前記計数した使用通知数の大きさに対応して新語情報提供サービスの割引価格を変動するステップと、を有することを特徴とする請求項１３から１９の内いずれか１つ記載の辞書情報の自動更新方法。
【請求項２１】
入力された新語情報に基づき共通辞書を更新管理する辞書情報の自動更新方法であって、
前記新語情報の利用通知を受信した場合にその新語情報が前記共通辞書に登録されていなければ前記新語情報毎に入力数を計数するステップと、
前記入力数が所定の閾値以上になったときには対応する新語情報を保存するステップと、を含むことを特徴とする辞書情報の自動更新方法。
【請求項２２】
入力された新語情報に基づき共通辞書を更新管理する辞書情報の自動更新方法であって、
前記新語情報が入力された場合に前記受信した新語情報毎に入力数を計数するステップと、
前記入力数が所定の閾値以上になったときには対応する新語情報を前記共通辞書に登録することで前記共通辞書を更新するステップと、を含むことを特徴とする辞書情報の自動更新方法。
【請求項２３】
ユーザ端末から送信された新語情報に基づき自装置内の共通辞書を更新管理する処理を、少なくとも２以上のユーザ端末と通信ネットワークで接続したコンピュータに実行させる辞書管理プログラムであって、
前記ユーザ端末から新語情報の利用通知を受信した場合にその受信した新語情報が前記共通辞書に登録されていなければ前記受信した新語情報毎に送信元のユーザ端末数を計数するステップと、
前記計数したユーザ端末数が所定の閾値以上になったときにはその以上になった新語情報を市場で認知されたまたは市場で認知されつつある用語として保存するステップと、
前記ユーザ端末から新語情報供給依頼を受信した場合に前記対応する新語情報があれば前記ユーザ端末に前記対応する新語情報または前記更新した共通辞書の内容を送信するステップと、を含む処理を前記コンピュータに実行させる辞書管理プログラム。
【請求項２４】
ユーザ端末から送信された新語情報に基づき自装置内の共通辞書を更新管理する処理を、少なくとも２以上のユーザ端末と通信ネットワークで接続したコンピュータに実行させる辞書管理プログラムであって、
前記ユーザ端末から新語情報の利用通知を受信した場合にその受信した新語情報が前記共通辞書に登録されていなければ前記受信した新語情報毎に送信元のユーザ端末数を計数するステップと、
前記計数したユーザ端末数が所定の閾値を超えたときにはその以上になった新語情報を前記共通辞書に登録することで前記共通辞書を更新するステップと、
前記ユーザ端末から新語情報供給依頼を受信した場合に前記対応する新語情報があれば前記ユーザ端末に前記対応する新語情報または前記更新した共通辞書の内容を送信するステップと、を含む処理を前記コンピュータに実行させる辞書管理プログラム。
【発明の詳細な説明】
【技術分野】
【０００１】
本発明は、辞書情報の自動更新システムおよび方法、辞書管理サーバ、並びに辞書管理プログラムに関し、特に、新語における辞書情報の自動更新システムおよび方法、辞書管理サーバ、並びに辞書管理プログラムに関する。
【背景技術】
【０００２】
従来、クライアントがサーバから新語をユーザ辞書に登録する方法として、例えば、特開平１１−６６０５９号公報が開示されている。この特開平１１−６６０５９号公報には、クライアントが新語の一覧を表示し、その表示した語句が選択されると、クライアントは選択された語句をユーザ辞書に登録する技術が記載されている。辞書データの追加は、ユーザが手動で入力するしか実現方法がなかった。
【０００３】
また、従来、サーバがクライアントからの新語をサーバ内の共有辞書に登録する方法として、例えば、特開平１１−６６０５９号公報が開示されている。この特開平１１−６６０５９号公報には、クライアントからの登録要求により新語情報をそのまま共有辞書に登録する技術が記載されている。
【０００４】
【特許文献１】特開平１１−６６０５９号公報（段落番号００５１）
【発明の開示】
【発明が解決しようとする課題】
【０００５】
しかしながら、上記の特開平１１−６６０５９号公報では、ユーザの画面操作により新語の一覧表示を表示させその表示された新語をクライアントがユーザに選択させることでユーザ辞書に登録するようにしている。そのため、新語を入手するには、ユーザが画面操作により入手したい新語を選択することで新語を取得するしかなく、操作上手間がかかり、面倒であるという問題点がある。特に、携帯端末等の小さい画面上に新語情報を表示させて選択させた新語をユーザ辞書に登録することは、パソコン等のクライアントに比べて更に操作が複雑で面倒である。
【０００６】
また、ユーザがクライアント端末内のユーザ辞書に登録されていない新語だけを登録したい場合を想定するとする。しかし、特開平１１−６６０５９号公報では、新語の一覧表を入手できたとしてもユーザ辞書に登録されていない新語がどれなのか判別することができないため、ユーザ辞書に簡単に登録することができないという問題点がある。
【０００７】
また、上記の特開平１１−６６０５９号公報では、クライアントから登録要求により新語情報をそのまま共有辞書に登録するようにしているため、ユーザ側が市場に認知された新語なのかを判断しなければならないという問題点がある。
【０００８】
本発明の目的は、上記問題点に鑑み、辞書を管理するサーバからユーザ端末内のユーザ辞書に市場で認知された（もしくは市場で認知されつつある）と判断された新しい用語を自動的に登録することにある。
【０００９】
また、本発明の他の目的は、上記問題点に鑑み、市場で認知された（もしくは市場で認知されつつある）と判断された新しい用語をサーバ内の共有辞書に自動的に登録することにある。
【００１０】
また、本発明の他の目的は、上記の問題点に鑑み、辞書を管理するサーバからユーザ端末内のユーザ辞書に市場で認知された（もしくは市場で認知されつつある）と判断された新しい用語をできるだけユーザの手間を省いて登録することになる。
【００１１】
また、本発明の他の目的は、ユーザが常に最新の言葉に対応した辞書を使うことが可能となる辞書データの自動更新システムを提供することにある。
【課題を解決するための手段】
【００１２】
上記目的を達成するために、本発明の第１の辞書情報の自動更新システムは、ユーザ辞書を有する少なくとも２以上のユーザ端末と、前記ユーザ端末から送信された新語情報に基づき辞書情報を管理する辞書管理サーバと、前記ユーザ端末および辞書管理サーバとを相互に接続する通信ネットワークを備えた辞書情報の自動更新システムであって、前記辞書管理サーバは、前記ユーザ端末から新語情報を受信するとその受信した新語情報毎に送信元のユーザ端末数を計数する計数手段と、前記計数手段で計数したユーザ端末数が所定の閾値以上になったときには自サーバ内に保存する保存手段と、を有し、前記ユーザ端末は、前記保存手段により保存された新語情報の供給依頼を送信することで前記辞書管理サーバから前記保存手段により保存された新語情報を取得する取得手段と、前記取得手段により取得した新語情報を前記ユーザ辞書に登録することで前記ユーザ辞書を更新する更新手段と、を有することを特徴としている。
【００１３】
また、本発明の第２の辞書情報の自動更新システムは、少なくとも２以上のユーザ端末と、前記ユーザ端末から送信された新語情報に基づき自サーバ内の共通辞書を更新管理する辞書管理サーバと、前記ユーザ端末および辞書管理サーバとを相互に接続する通信ネットワークを備えた辞書情報の自動更新システムであって、前記辞書管理サーバは、前記ユーザ端末から新語情報を受信した場合にその受信した新語情報が前記共通辞書に登録されていなければ前記受信した新語情報毎に送信元のユーザ端末数を計数する第１の計数手段と、前記第１の計数手段で計数したユーザ端末数が所定の閾値以上になったときには対応する新語情報を前記共通辞書に登録することで前記共通辞書を更新する第１の更新手段と、を有することを特徴としている。
【００１４】
更に、上記の第１または第２の辞書情報の自動更新システムにおいて、前記ユーザ端末は、メール送信時に自端末内のユーザ辞書に登録した新語情報を前記辞書管理サーバに送信する第１の送信手段を有することを特徴としている。
【００１５】
更に、上記の第１または第２の辞書情報の自動更新システムにおいて、前記ユーザ端末は、自端末内のユーザ辞書に登録した新語情報をユーザの画面操作により前記辞書管理サーバに送信する第２の送信手段を有することを特徴としている。
【００１６】
更に、上記の第１または第２の辞書情報の自動更新システムにおいて、前記ユーザ端末は、予め決められた時間毎に自端末内のユーザ辞書に登録した新語情報を前記辞書管理サーバに送信する第３の送信手段を有することを特徴としている。
【００１７】
更に、上記の第２の辞書情報の自動更新システムにおいて、前記ユーザ端末は、メール受信時に前記辞書管理サーバに新語情報供給依頼を行う第１の依頼手段と、前記第１の依頼手段により受信した前記対応する新語情報または前記更新した共通辞書の内容を自端末内の前記ユーザ辞書に登録することで前記ユーザ辞書を更新する第２の更新手段と、を有し、前記辞書管理サーバは、前記第１の依頼手段により前記新語情報供給依頼を受信すると、前記ユーザ端末に前記対応する新語情報または前記更新した共通辞書の内容を送信する第４の送信手段を有することを特徴としている。
【００１８】
更に、上記の第２の辞書情報の自動更新システムにおいて、前記ユーザ端末は、ユーザの画面操作により前記辞書管理サーバに新語情報供給依頼を行う第２の依頼手段と、前記第２の依頼手段により受信した前記対応する新語情報または前記更新した共通辞書の内容を自端末内の前記ユーザ辞書に登録することで前記ユーザ辞書を更新する第３の更新手段と、を有し、前記辞書管理サーバは、前記第２の依頼手段により前記新語情報供給依頼を受信すると前記対応する新語情報があれば、前記ユーザ端末に前記対応する新語情報または前記更新した共通辞書の内容を送信する第５の送信手段を有することを特徴としている。
【００１９】
更に、上記の第２の辞書情報の自動更新システムにおいて、前記ユーザ端末は、予め決められた時間毎に辞書管理サーバに新語情報供給依頼を行う第３の依頼手段と、前記第３の依頼手段により受信した前記対応する新語情報または前記更新した共通辞書の内容を自端末内の前記ユーザ辞書に登録することで前記ユーザ辞書を更新する第４の更新手段と、を有し、前記辞書管理サーバは、前記第３の依頼手段により前記新語情報供給依頼を受信すると前記対応する新語情報があれば、前記ユーザ端末に前記対応する新語情報または前記更新した共通辞書の内容を送信する第６の送信手段を有することを特徴としている。
【００２０】
更に、上記の第２の辞書情報の自動更新システムにおいて、前記辞書管理サーバは、前記新語情報が入力された場合にその新語情報が登録されていなければ入力元のユーザＩＤの使用通知数を計数する第２の計数手段と、前記第２の計数手段により計数した使用通知数の大きさに対応して新語情報提供サービスの割引価格を変動する割引手段と、を有することを特徴としている。
【００２１】
また、本発明の第１の辞書管理サーバは、入力された新語情報に基づき自サーバ内の共通辞書を更新管理する辞書管理サーバであって、前記新語情報の利用通知の入力があった場合にその新語情報が前記共通辞書に登録されていなければ前記新語情報毎に入力数を計数する計数手段と、前記入力数が所定の閾値以上になったときには対応する新語情報を保存する保存手段と、新語情報供給依頼の入力があった場合に前記保存手段により保存した新語情報を出力する出力手段と、を有することを特徴としている。
【００２２】
また、本発明の第２の辞書管理サーバは、入力された新語情報に基づき自サーバ内の共通辞書を更新管理する辞書管理サーバであって、前記新語情報が入力された場合にその入力された新語情報が前記共通辞書に登録されていなければ前記入力された新語情報毎に入力数を計数する計数手段と、前記入力数が所定の閾値以上になったときには対応する新語情報を前記共通辞書に登録することで前記共通辞書を更新する第１の更新手段と、新語情報供給依頼の入力があった場合に前記対応する新語情報または前記更新した共通辞書の内容を出力する出力手段と、を有することを特徴としている。
【００２３】
更に、上記の第１または第２の辞書管理サーバにおいて、前記ユーザ端末から新語情報を受信した場合にその受信した新語情報が登録されていなければ送信元のユーザＩＤの使用通知数を計数する第２の計数手段と、前記第２の計数手段により計数した使用通知数の大きさに対応して新語情報提供サービスの割引価格を変動する割引手段と、を有することを特徴としている。
【００２４】
また、本発明の第１の辞書情報の自動更新方法は、少なくとも２以上のユーザ端末と、前記ユーザ端末から送信された新語情報に基づき辞書情報を更新管理する辞書管理サーバと、前記ユーザ端末および辞書管理サーバとを相互に接続する通信ネットワークにおける辞書情報の自動更新方法であって、新語情報の利用通知を受信した場合にその受信した新語情報が前記共通辞書に登録されていなければ前記受信した新語情報毎にユーザ端末数を計数するステップと、前記計数したユーザ端末数が所定の閾値以上になったときには新語情報供給サービスの契約をした各ユーザの前記ユーザ端末から新語情報供給依頼を受信するまでユーザＩＤ毎に前記対応する新語情報を一時的に保存するステップと、を含むことを特徴としている。
【００２５】
更に、上記の第１の辞書情報の自動更新方法において、前記ユーザ端末が、メール送信時に自端末内のユーザ辞書に登録した新語情報を新語情報の利用通知として前記辞書管理サーバに送信するステップを含むことを特徴としている。
【００２６】
更に、上記の第１の辞書情報の自動更新方法において、前記ユーザ端末が、自端末内のユーザ辞書に登録した新語情報を新語情報の利用通知としてユーザの画面操作により前記辞書管理サーバに送信するステップを含むことを特徴としている。
【００２７】
更に、上記の第１の辞書情報の自動更新方法において、前記ユーザ端末が、予め決められた時間毎に自端末内のユーザ辞書に登録した新語情報を新語情報の利用通知として前記辞書管理サーバに送信するステップを含むことを特徴としている。
【００２８】
更に、上記の第１の辞書情報の自動更新方法において、前記ユーザ端末が、メール受信時に前記辞書管理サーバに前記新語情報供給依頼を行うステップと、前記辞書管理サーバが、前記ユーザ端末から前記新語情報供給依頼を受信した場合にユーザＩＤに対応して一時的に保存した前記対応する新語情報があれば前記ユーザ端末に前記対応する新語情報を送信するステップと、前記ユーザ端末が、前記新語情報供給依頼により受信した前記対応する新語情報を自端末内の前記ユーザ辞書に登録することで前記ユーザ辞書を更新するステップと、を含むことを特徴としている。
【００２９】
更に、上記の第１の辞書情報の自動更新方法において、前記ユーザ端末が、ユーザの画面操作により前記辞書管理サーバに新語情報供給依頼を行うステップと、前記辞書管理サーバが、前記ユーザ端末から前記新語情報供給依頼を受信した場合にユーザＩＤに対応して一時的に保存した前記対応する新語情報があれば前記ユーザ端末に前記対応する新語情報を送信するステップと、前記ユーザ端末が、前記新語情報供給依頼により受信した前記対応する新語情報を自端末内の前記ユーザ辞書に登録することで前記ユーザ辞書を更新するステップと、を含むことを特徴としている。
【００３０】
更に、上記の第１の辞書情報の自動更新方法において、前記ユーザ端末が、予め決められた時間毎に前記辞書管理サーバに新語情報供給依頼を行うステップと、前記辞書管理サーバが、前記ユーザ端末から前記新語情報供給依頼を受信した場合にユーザＩＤに対応して一時的に保存した前記対応する新語情報があれば前記ユーザ端末に前記対応する新語情報を送信するステップと、前記ユーザ端末が、前記新語情報供給依頼により受信した前記対応する新語情報を自端末内の前記ユーザ辞書に登録することで前記ユーザ辞書を更新するステップと、を含むことを特徴としている。
【００３１】
更に、上記の第１の辞書情報の自動更新方法において、前記辞書管理サーバが、前記ユーザ端末から新語情報の利用通知を受信した場合にその受信した新語情報が登録されていなければ送信元のユーザＩＤの使用通知数を計数するステップと、前記辞書管理サーバが、前記計数した使用通知数の大きさに対応して新語情報提供サービスの割引価格を変動するステップと、を有することを特徴としている。
【００３２】
また、本発明の第２の辞書情報の自動更新方法は、入力された新語情報に基づき共通辞書を更新管理する辞書情報の自動更新方法であって、
前記新語情報の利用通知を受信した場合にその新語情報が前記共通辞書に登録されていなければ前記新語情報毎に入力数を計数するステップと、
前記入力数が所定の閾値以上になったときには対応する新語情報を保存するステップと、を含むことを特徴としている。
【００３３】
また、本発明の第３の辞書情報の自動更新方法は、入力された新語情報に基づき共通辞書を更新管理する辞書情報の自動更新方法であって、前記新語情報が入力された場合に前記受信した新語情報毎に入力数を計数するステップと、前記入力数が所定の閾値以上になったときには対応する新語情報を前記共通辞書に登録することで前記共通辞書を更新するステップと、を含むことを特徴としている。
【００３４】
また、本発明の第１の辞書管理プログラムは、ユーザ端末から送信された新語情報に基づき自装置内の共通辞書を更新管理する処理を、少なくとも２以上のユーザ端末と通信ネットワークで接続したコンピュータに実行させる辞書管理プログラムであって、前記ユーザ端末から新語情報の利用通知を受信した場合にその受信した新語情報が前記共通辞書に登録されていなければ前記受信した新語情報毎に送信元のユーザ端末数を計数するステップと、前記計数したユーザ端末数が所定の閾値以上になったときにはその以上になった新語情報を市場で認知されたまたは市場で認知されつつある用語として保存するステップと、前記ユーザ端末から新語情報供給依頼を受信した場合に前記対応する新語情報があれば前記ユーザ端末に前記対応する新語情報または前記更新した共通辞書の内容を送信するステップと、を含む処理を前記コンピュータに実行させる。
【００３５】
また、本発明の第２の辞書管理プログラムにおいて、ユーザ端末から送信された新語情報に基づき自装置内の共通辞書を更新管理する処理を、少なくとも２以上のユーザ端末と通信ネットワークで接続したコンピュータに実行させる辞書管理プログラムであって、前記ユーザ端末から新語情報の利用通知を受信した場合にその受信した新語情報が前記共通辞書に登録されていなければ前記受信した新語情報毎に送信元のユーザ端末数を計数するステップと、前記計数したユーザ端末数が所定の閾値を超えたときにはその以上になった新語情報を前記共通辞書に登録することで前記共通辞書を更新するステップと、前記ユーザ端末から新語情報供給依頼を受信した場合に前記対応する新語情報があれば前記ユーザ端末に前記対応する新語情報または前記更新した共通辞書の内容を送信するステップと、を含む処理を前記コンピュータに実行させる。
【発明の効果】
【００３６】
上記の本発明は、ユーザ側で提供した新語情報をサーバ側で送信元のユーザ端末数が規定以上になった場合にその新語情報を辞書に登録するようにしている。そのため、本発明は、市場に認知された用語（または市場に認知されつつある用語）として自動的に辞書に登録することができるという効果がある。
【発明を実施するための最良の形態】
【００３７】
次に、本発明を実施するための最良の形態について図面を参照して詳細に説明する。
【００３８】
図１を参照すると、図１は、本発明を実施するための最良の形態である第１の実施の形態における全体のシステムの構成を示すブロック図である。すなわち、この実施の形態におけるシステムは、ユーザ辞書管理サーバ１と、ユーザ端末２と、通信ネットワーク９０１とを有している。なお、通信ネットワーク９０１は、ユーザ辞書管理サーバ１とユーザ端末２とを相互に接続する。また、通信ネットワーク９０１には、ユーザ端末２と無線で接続する無線基地局、無線事業者がインターネットとの接続を管理する接続サーバ等が含まれている。従って、各ユーザ端末２は、接続サーバを介してインターネット上のユーザ辞書管理サーバ１と接続することができる。
【００３９】
ユーザ辞書管理サーバ１は、ユーザ辞書提供サイトとして設置され、サーバ、パソコン、ワークステーション等の情報処理装置である。ユーザ辞書管理サーバ１は、制御部１１と、インタフェース部１２と、ユーザ情報データベース１３と、共通辞書１４と、新語を管理する新語管理テーブル１５とを有している。
【００４０】
インタフェース部１２は、制御部１１の制御の下で、通信ネットワーク９０１とのデータのやり取りを行う。
【００４１】
ユーザ情報データベース１３および共通辞書１４は、図示していない不揮発性の記録媒体装置（例えば磁気ディスク）内に割り当てられている。
【００４２】
図２は、ユーザ情報データベース１３内の構成概略図である。すなわち、ユーザ情報データベース１３には、ユーザ辞書提供サイトの加入者毎に、ユーザＩＤエリア、新語供給モードエリア、使用通知数エリア、新語供給エリア、供給確認エリア、新語供給サービス料金等が割り当てられている。ユーザＩＤエリアには、ユーザ辞書提供サイトの加入者の識別を示すユーザＩＤが格納されている。新語供給モードエリアには、新語供給サービスの有無（例えば、「ＯＮ」であれば、新語供給サービスを受ける）を示す情報が格納されている。使用通知数エリアには、ユーザ端末２から一般辞書に登録されていない新語情報（すなわち、ユーザ辞書２４に新語として登録した用語）が送信されてきた回数が格納される。ユーザ辞書管理サーバ１の事業者と新語供給サービスの契約を行ったユーザは、自分のユーザＩＤに対応する使用通知数があらかじめ決められた値以上になっていれば、割引価格（または無償）で新語供給サービスを受けることができる。新語供給エリアには、ユーザ端末２に供給すべき新語情報（用語の表示、読み方等の情報）が登録される。供給確認エリアには、供給した新語情報がユーザ端末２のユーザ辞書２４に登録されたかどうかを示す情報（例えば、「ＯＮ」であれば、ユーザ辞書に登録済み）が格納される。
【００４３】
共通辞書１４には、一般に使用されている用語の辞書である一般辞書エリアと、一般辞書に登録されていなくて制御部１１により市場に認知されていると判断された新語情報を登録する新語情報登録辞書エリアとが割り当てられている。
【００４４】
新語管理テーブル１５は、図示していないＲＡＭ（Ｒａｎｄｏｍ  Ａｃｃｅｓｓ  Ｍｅｍｏｒｙ）、フラッシュメモリ等のメモリ、または磁気ディスク等の不揮発性の記録媒体装置内に割り当てられている。図３は、新語管理テーブルの構成概略図である。この新語管理テーブル１５には、新語情報エリアと、新語情報のアップロード数をカウントするアップロード端末数エリアとが割り当てられている。
【００４５】
制御部１１は、図示していないＣＰＵによりプログラム制御で動作する。制御部１１は、本サーバにアップロードされた新語情報の管理を新語管理テーブル１５で行っている。制御部１１は、ある一定のアップロード端末数の用語があった場合には、用語を市場が認知した新しい用語として認識する。更に、制御部１１は、ユーザ情報データベース１３に登録された新語供給モードが「ＯＮ」であれば、新しい用語として認識した新語情報をユーザ辞書提供サイトの加入者に配信する。
【００４６】
ユーザ端末２は、携帯電話等の携帯端末である。ユーザ端末２は、制御部２１と、インタフェース部２２と、操作部２３と、ユーザ辞書２４と、新語管理テーブル２５とを有している。
【００４７】
インタフェース部２２は、制御部２１の制御の下で、通信ネットワーク９０１とのデータのやり取りを行う。
【００４８】
ユーザ辞書２４および新語管理テーブル２５は、図示していない不揮発性のメモリ（例えばフラッシュメモリ）内に割り当てられている。ユーザ辞書２４は、用語の表記、読み方等の情報を含む辞書情報が登録されており、制御部２１により、ユーザの画面上での文書作成時のカナ漢字変換に利用される。新語管理テーブル２５は、図示していないフラッシュメモリ等のメモリ内に割り当てられている。
【００４９】
図４は、新語管理テーブル２５の構成概略図である。新語管理テーブル２５には、ユーザＩＤエリア、ＵＲＬエリア、新語情報エリア等が割り当てられている。新語情報エリアには、ユーザ辞書管理サーバ１に登録する前の新語情報（表記、読み方等の情報）が一時的に登録（複数の登録が可能）される。ユーザＩＤエリアには、ユーザ辞書管理サーバ１を管理する事業者と契約した場合に発行されるユーザＩＤが登録されている。ＵＲＬエリアには、ユーザ辞書管理サーバ１のＵＲＬが予め登録されている。なお、この場合のＵＲＬは、Ｕｎｉｆｏｒｍ  Ｒｅｓｏｕｒｃｅ  Ｌｏｃａｔｏｒの略で、ユーザ辞書管理サーバ１のインターネット上のロケーションを示す。
【００５０】
制御部２１は、図示していないＣＰＵによりプログラム制御で動作する回路である。制御部２１は、メールを送信する際に新語情報が新語管理テーブル２５に登録されている新語情報をユーザ辞書管理サーバ１に送信する手段と、送信の終えた新語情報を新語管理テーブル２５から削除する手段とを有する。更に、制御部２１は、メールを受信すると、ユーザ辞書管理サーバ１に新語情報の供給依頼を行う手段と、供給依頼により受信した新語情報をユーザ辞書２４に登録する手段とを有する。更に、制御部２１は、ユーザの画面操作により新語情報登録通知を行うことで新語管理テーブル２５に登録されている新語情報をユーザ辞書管理サーバ１に送信する手段と、送信の終えた新語情報を新語管理テーブル２５から削除する手段とを有する。更に、制御部２１は、ユーザの画面操作により新語情報の供給依頼を行う手段と、供給依頼により受信した新語情報をユーザ辞書２４に登録する手段とを有する。
【００５１】
次に、本発明を実施するための最良の形態の動作について図面を参照して説明する。
【００５２】
ユーザａがユーザ辞書管理サーバ１を管理している事業者と新語情報の供給サービスの契約を行っているため、ユーザ辞書管理サーバ１のユーザ情報データベース１３には、予めユーザ情報が登録されている。すなわち、ユーザ情報データベース１３のユーザＩＤエリアに契約したユーザＩＤが設定され、ユーザ情報データベース１３の新語供給モードエリアに「ＯＮ」が設定されている。この場合のユーザ登録方法は、インターネットで登録しても、郵送で登録しても良い。
【００５３】
また、ユーザａは、新語管理テーブル２５内のＵＲＬエリアにユーザ辞書管理サーバ１のＵＲＬを、ユーザＩＤエリアにユーザＩＤを、それぞれ予め登録しておく。この場合の例としては、ユーザａは、ユーザ端末２の操作部２３からの画面操作により、ユーザ辞書管理サーバ１から通知のあったユーザＩＤとユーザ辞書管理サーバ１のＵＲＬとを入力する。すると、ユーザ端末２の制御部２１は、新語管理テーブル２５内のユーザＩＤエリアにユーザＩＤを、ＵＲＬエリアにユーザ辞書管理サーバ１のＵＲＬを、それぞれ登録する。
【００５４】
今、ユーザａが新語情報として新しい用語Ａ（例えば、表記：「横蟻」、読み方：「よこあり」）をユーザ辞書に登録するために、自分のユーザ端末２の操作部２３から図示していない画面を見ながら新しい用語Ａを入力する。すると、ユーザ端末２の制御部２１は、ユーザ辞書２４に新しい用語Ａを登録すると共に、新語管理テーブル２５に一時的に登録する。
【００５５】
ユーザ端末２は、メール送信時に新語情報をユーザ辞書管理サーバ１に送信する機能を有している。この機能を用いた場合のユーザ辞書管理サーバ１の動作およびユーザ端末２の動作について説明する。
【００５６】
ユーザ辞書２４に用語Ａを登録した後、ユーザａが自分のユーザ端末２の操作部２３からメールを送信すると、ユーザ端末２の制御部２１は、インタフェース部２２を介してメールを送信すると共に、新語管理テーブル２５に新語情報が登録されているかを確認する。この場合、登録されているので、制御部２１は、新語管理テーブル２５に登録されたＵＲＬとユーザＩＤと新しい用語Ａとを読み出す。更に、制御部２１は、読み出したＵＲＬを宛先として読み出したユーザＩＤと新しい用語Ａとをインタフェース部２２を介して送信する。すなわち、ユーザ端末２の制御部２１は、ユーザ辞書提供サイトのユーザ辞書管理サーバ１に新しい用語Ａをアップロードすることで用語Ａの使用通知を行う。（図６のステップＳ２０１〜Ｓ２０３）。
【００５７】
なお、ユーザ端末の制御部２１がユーザ辞書管理サーバ１との通信を行う場合の方法としては、制御部２１が、図示していない記憶部（例えば、フラッシュメモリ）に予め格納されているＷｅｂブラウザソフトを立ち上げる。立ち上げた後、制御部２１は、このＷｅｂブラウザソフトを利用してユーザＩＤと新しい用語Ａとを付加した新語情報使用通知を、ＵＲＬ先であるユーザ辞書管理サーバ１に送信（アップロード）する。すなわち、制御部２１は、ユーザ端末２内で初めて新語情報（この場合、新語情報は用語Ａ）を使用したことをユーザ辞書管理サーバ１に通知することになる。更に、新しい用語とユーザＩＤを送信したユーザ端末２の制御部２１は、図示していないタイマを起動し、予め決められた時間内に終了報告があるかどうかを待つ。（ステップＳ２０４〜Ｓ２０５）。
【００５８】
一方、インタフェース部１２を介してユーザＩＤと新しい用語Ａとをユーザ端末２から受信したユーザ辞書管理サーバ１の制御部１１は、ユーザ情報データベース１３内で受信したユーザＩＤの使用通知数を＋１加算（カウントアップ）する。更に、制御部１１は、用語Ａが共通辞書１４の新語登録辞書に登録されているかを、用語Ａをキーにして検索することにより確認する。（図５のステップＳ１０１，Ｓ１０２）。
【００５９】
ステップＳ１０２において、登録されていなければ、ユーザ辞書管理サーバ１の制御部１１は、用語Ａが新語管理テーブル１５に登録されているかを、用語Ａをキーにして検索する。（ステップＳ１０３〜Ｓ１０５）。
【００６０】
ステップＳ１０４において、登録されていれば、ユーザ辞書管理サーバ１の制御部１１は、新語管理テーブル１５内の該当する用語Ａのアップロード端末数を＋１加算する。更に、制御部１１は、加算したアップロード端末数が図示していない記憶部（例えば、磁気ディスク）に予め格納された規定値α以上かを確認する。この場合のαは、２以上の正の整数であり、αの値は、ユーザ辞書管理サーバ１を管理する事業者が予めシステム構築または更新時に設定される。（ステップＳ１０５〜Ｓ１０８）。
【００６１】
ステップＳ１０８において、規定値α以上であれば、ユーザ辞書管理サーバ１の制御部１１は、用語Ａは市場に認知された（または認知されつつある）用語として判断する。更に、制御部１１は、共通辞書１４の新語登録辞書に用語Ａを登録する。更に、制御部１１は、ユーザ情報データベース１３内において、新語供給モードが「ＯＮ」になっている全ユーザＩＤに該当する新語供給エリアに用語Ａを登録する。このユーザ情報データベース１３に登録する理由は、新語供給依頼通知を受けたときに、市場に認知された（または認知されつつある）用語Ａをアップロードによる新語供給サービスの契約をしたユーザに送信するためである。更に、制御部１１は、送信元のユーザ端末２にインタフェース部１２を介して終了報告を行い、動作を終了する。（ステップＳ１０９，Ｓ１１０，Ｓ１１２）。
【００６２】
一方、ステップＳ１０２において、登録されていれば、ユーザ辞書管理サーバ１の制御部１１は、既に、用語Ａは市場に認知された（または認知されつつある）用語として判断する。更に、制御部１１は、送信元のユーザ端末２にインタフェース部１２を介して終了報告を行い、動作を終了する。（ステップＳ１１２）。
【００６３】
一方、ステップＳ１０５において、登録されていなければ、ユーザ辞書管理サーバ１の制御部１１は、用語Ａは市場に認知されていない初めての用語として判断する。更に、制御部１１は、新語管理テーブル１５内の該当する用語Ａのアップロード端末数を初期値として「１」に設定する。更に、制御部１１は、送信元のユーザ端末２にインタフェース部１２を介して終了報告を行い、動作を終了する。（ステップＳ１１１，Ｓ１１２）。
【００６４】
一方、ステップＳ１０８において、規定値α以上でなければ、ユーザ辞書管理サーバ１の制御部１１は、用語Ａはまだ市場に認知されていない用語として判断する。更に、制御部１１は、送信元のユーザ端末２にインタフェース部１２を介して終了報告を行い、動作を終了する。（ステップＳ１１２）。
【００６５】
このようにして、ユーザ辞書管理サーバ１の制御部１１は、ユーザ端末２から新語情報使用通知（新語情報付）を受信する毎に、受信した新語情報毎（例えば、用語Ａ、用語Ｂ、用語Ｃ、・・・）にアップロードのユーザ端末数（送信元のユーザ端末数）を計数することになり、市場で認知された（もしくは市場で認知されつつある）と判断された用語を認識することができる。
【００６６】
一方、ステップＳ２０５において、インタフェース部２２を介してユーザ辞書管理サーバ１から終了報告を受けたユーザ端末２の制御部２１は、用語Ａを新語として通知したものと判断する。制御部２１は、新語管理テーブル２５から該当する用語Ａを削除し、動作を終了する。（図６のステップＳ２０６）。
【００６７】
この後、月の切り換わる時（例えば、月の最後の日の２４時）に図示していないタイマによりタイマ割込が制御部１１に発生すると、ユーザ辞書管理サーバ１の制御部１１は、月ごとの新語供給サービスを利用したユーザの利用料金を算出する。この場合、制御部１１は、新語供給サービス契約したユーザＩＤ（新語供給モードが「ＯＮ」になっているユーザＩＤ）毎にユーザ辞書データベース１３を検索し算出する。すなわち、供給確認エリアが「ＯＮ」で使用通知数がｎ未満であれば、制御部１１は、「基本料金」を新語供給サービス料金エリアに設定する。供給確認エリアが「ＯＮ」で使用通知数がｎ以上でｍ未満であれば、制御部１１は、＜「基本料金」−ｘ＞を新語供給サービス料金エリアに設定する。供給確認エリアが「ＯＮ」で使用通知数がｍ以上であれば、制御部１１は、＜「基本料金」−ｙ＞を新語供給サービス料金エリアに設定する。このように制御部１１は、ユーザ辞書データベース１３の新語供給サービス料金エリアに設定した後、供給確認モードエリアをＯＦＦにする。すなわち、新語情報の使用通知数の頻度が多くなれば、新語供給サービスの料金が割安になる。なお、この場合のｎは、２以上の正の整数であり、ｎの値は、ユーザ辞書管理サーバ１を管理する事業者が予めシステム構築または更新時に設定される。また、ｍはｎ以上の整数であり、ｘは「基本料金」を超えない料金であり、ｙは「基本料金」を超えない料金（または等しい値）でかつｘよりも大きい料金である。また、上述では、供給確認エリアが「ＯＮ」になっていなくても、制御部１１が上記の算出方法で新語供給サービス料金を算出しても良い。また、上述では、月が切り換わっても使用通知数をそのまま利用するようにしたが、月が切り換わったときに、制御部１１が使用通知数をクリア（「０」に設定）するようにしても良い。
【００６８】
また、図１のユーザ端末２は、新語情報を画面上から送信する機能を有している。この機能を用いた場合のユーザ辞書管理サーバ１の動作およびユーザ端末２の動作について説明する。
【００６９】
ユーザ辞書２４に用語Ａを登録した後、ユーザａが自分のユーザ端末２の操作部２３を使って画面操作を行うことにより、図示していない画面上に表示されているメニューからサーバへの新語登録通知の項目を選択する。すると、ユーザ端末２の制御部２１は、新語管理テーブル２５に新語情報が登録されているかを確認する。この場合、登録されているので、制御部２１は、新語管理テーブル２５に登録されたＵＲＬとユーザＩＤと新しい用語Ａとを読み出す。更に、制御部２１は、読み出したＵＲＬを宛先として読み出したユーザＩＤと新しい用語Ａとをインタフェース部２２を介して送信する。すなわち、ユーザ端末２の制御部２１は、ユーザ辞書提供サイトのユーザ辞書管理サーバ１に新しい用語Ａをアップロードすることになる。（図７のステップＳ２１１〜Ｓ２１３）。
【００７０】
更に、新しい用語ＡとユーザＩＤを送信したユーザ端末２の制御部２１は、図示していないタイマを起動し、予め決められた時間内にユーザ辞書管理サーバ１からの終了報告があるかどうかを待つ。（ステップＳ２１４〜Ｓ２１５）。
【００７１】
ユーザＩＤ付の新しい用語Ａを受信したユーザ辞書管理サーバ１の動作については、上記のユーザ端末２のメール送信時におけるユーザ辞書管理サーバ１の動作（図５のフローチャート参照）と同じなので説明を省略する。
【００７２】
ステップＳ２１５において、インタフェース部２２を介してユーザ辞書管理サーバ１から終了報告を受けたユーザ端末２の制御部２１は、用語Ａを新語として通知したものとして判断する。制御部２１は、新語管理テーブル２５から該当する用語Ａを削除し、動作を終了する。（ステップＳ２１６）。
【００７３】
次に、新語情報を入手する方法としては、ユーザ端末２は、メール受信時に新語情報を自端末内のユーザ辞書２４に登録する機能を利用している。この場合のメール受信時におけるユーザ端末２およびユーザ辞書管理サーバ１の動作について説明する。
【００７４】
携帯端末２の制御部２１は、インタフェース部２２を介してメールの受信を検出すると、メールの受信処理を行う。メールの受信処理終了後、制御部２１は、新語管理テーブル２５からＵＲＬを読み出す。制御部２１は、Ｗｅｂブラウザソフトを起動し、Ｗｅｂブラウザによりインタフェース部２２を介してＵＲＬにあるユーザ辞書管理サーバ１と接続する。更に、制御部２１は、新語管理テーブル２５からユーザＩＤを読み出して、ユーザ辞書管理サーバ１に対して、新語情報の供給依頼（読み出したユーザＩＤを添付）を行う。更に、制御部２１は、図示していないタイマを起動し、予め決められた時間内に応答があるかどうかを待つ。（図９のステップＳ２２１〜Ｓ２２４）。
【００７５】
インタフェース部１２を介して新語情報依頼を受信したユーザ辞書管理サーバ１の制御部１１は、依頼先のユーザ端末２に通知すべき新語情報がユーザ情報データベース１３に登録されているかを確認する。この場合の確認方法として、ユーザ情報データベース１３において、制御部１１は、依頼のあったユーザＩＤに該当する新語供給エリアに新語情報が登録されているかを確認する。（図８のステップＳ１２１〜Ｓ１２２）。
【００７６】
ステップＳ１２２において、登録されていれば、制御部１１は、確認した新語通知エリアにある新語情報を読み出し、その読み出した新語情報を依頼元のユーザ端末２にインタフェース部１２を介して送信する。この場合、新語情報が複数あれば、制御部１１は、複数の新語情報を送信することになる。送信した後、制御部１１は、ユーザ端末２からユーザ辞書の更新完了通知を待つ。（ステップＳ１２３，Ｓ１２４）。
【００７７】
ステップＳ２２４において、インタフェース部２２を介して新語情報を応答として受信したユーザ端末２の制御部２１は、受信した応答の内容が新語情報かどうかを確認する。この場合、新語情報なので、制御部２１は、受信した新語情報をユーザ辞書２４に登録することでユーザ辞書２４を更新する。登録が終了すると、制御部２１は、インタフェース部２２を介してユーザ辞書２４の更新完了通知をユーザ辞書管理サーバ１に送信して動作を終了する。なお、ステップＳ２２５において、新語情報でなければ、制御部２１は、そのまま動作を終了する。（図９のステップＳ２２５〜Ｓ２２７）。
【００７８】
ステップＳ１２４において、ユーザ辞書管理サーバ１の制御部１１は、インタフェース部１２を介してユーザ端末２から更新完了通知を受信すると、ユーザ情報データベース１３内で更新完了を受けたユーザＩＤに該当する新語供給エリアから、送信した新語情報を削除する。更に、制御部１１は、ユーザ情報データベース１３内で更新完了を受けたユーザＩＤの供給確認エリアに「ＯＮ」をセットし、動作を終了する。（図８のステップＳ１２５）。
【００７９】
また、図１のユーザ端末２には、画面操作によりユーザ辞書管理サーバ１から新語情報を自端末のユーザ辞書に自動更新を行う機能（すなわち、画面操作によりユーザ辞書管理サーバ１に新語供給依頼を行う機能）を有している。この機能を用いた場合のユーザ辞書管理サーバ１の動作およびユーザ端末１の動作について説明する。
【００８０】
ユーザａが自分のユーザ端末２の操作部２３を使って画面操作を行うことにより、図示していないメニュー画面に表示されている新語情報の自動更新の項目を選択する。携帯端末２の制御部２１は、新語管理テーブル２５からＵＲＬを読み出す。制御部２１は、Ｗｅｂブラウザソフトを起動し、Ｗｅｂブラウザによりインタフェース部２２を介してＵＲＬにあるユーザ辞書管理サーバ１と接続する。更に、制御部２１は、新語管理テーブル２５からユーザＩＤを読み出して、ユーザ辞書管理サーバ１に対して、新語情報の供給依頼（読み出したユーザＩＤを添付）を行う。更に、制御部２１は、図示していないタイマを起動し、予め決められた時間内に応答があるかどうかを待つ。（図１０のステップＳ２３１〜Ｓ２３３）。
【００８１】
新語情報の供給依頼を受信したユーザ辞書管理サーバ１の動作については、上記のユーザ端末のメール受信時におけるユーザ辞書管理サーバ１の動作（図８のフローチャートを参照）と同じなので説明を省略する。
【００８２】
ステップＳ２３３において、インタフェース部２２を介して新語情報を応答として受信したユーザ端末２の制御部２１は、受信した応答の内容が新語情報かどうかを確認する。この場合、新語情報なので、制御部２１は、受信した新語情報をユーザ辞書２４に登録することでユーザ辞書を更新する。登録が終了すると、制御部２１は、インタフェース部２２を介してユーザ辞書２４の更新完了通知をユーザ辞書管理サーバ１に送信して終了する。（図９のステップＳ２３４〜Ｓ２３６）。
【００８３】
ステップＳ２３４において、応答の内容が新語情報でない場合は、制御部２２は、図示していない画面上にユーザ辞書２４に登録する新語情報がない旨のメッセージを表示する。
【００８４】
また、上記の説明では、ユーザ端末２がメール送信時または画面操作によりユーザ辞書管理サーバ１に新語情報登録通知を送信するようにしたが、一定期間毎に新語情報登録通知を自動的に行うようにしても良い。この場合の方法として以下に説明する。
【００８５】
ユーザ端末２には、図示していない監視タイマがあり、この監視タイマが予め設定された時間間隔毎（例えば、２４時間毎）に制御部２１に割込をかけるようになっている。
【００８６】
ユーザ辞書２４に用語Ａを登録した後に監視タイマが制御部２１に割込をかけると、ユーザ端末２の制御部２１は、新語管理テーブル２５に新語情報が登録されているかを確認する。この場合、登録されているので、制御部２１は、新語管理テーブル２５に登録されたＵＲＬとユーザＩＤと新しい用語Ａとを読み出す。更に、制御部２１は、読み出したＵＲＬを宛先として読み出したユーザＩＤと新しい用語Ａとをインタフェース部２２を介して送信する。すなわち、ユーザ端末２の制御部２１は、ユーザ辞書提供サイトのユーザ辞書管理サーバ１に新しい用語Ａをアップロードすることになる。（図１１のステップＳ２６１〜Ｓ２６３）。
【００８７】
更に、新しい用語とユーザＩＤを送信したユーザ端末２の制御部２１は、図示していないタイマを起動し、予め決められた時間内にユーザ辞書管理サーバ１からの終了報告があるかどうかを待つ。（ステップＳ２６４〜Ｓ２６５）。
【００８８】
ユーザＩＤ付の新しい用語を受信したユーザ辞書管理サーバ１の動作については、上記のメール送信時のユーザ辞書管理サーバ１の動作（図５のフローチャート参照）と同じなので説明を省略する。
【００８９】
ステップＳ２４５において、インタフェース部２２を介してユーザ辞書管理サーバ１から終了報告を受けたユーザ端末２の制御部２１は、用語Ａを新語として通知したものと判断する。制御部２１は、新語管理テーブル２５から該当する用語Ａを削除し、ユーザ辞書管理サーバ１への新語情報使用通知処理を終了する（ステップＳ２６６）。
【００９０】
新語情報使用通知処理終了後、携帯端末２の制御部２１は、新語情報供給依頼処理を行う。すなわち、携帯端末２の制御部２１は、新語管理テーブル２５からＵＲＬを読み出す。制御部２１は、Ｗｅｂブラウザソフトを起動し、Ｗｅｂブラウザによりインタフェース部２２を介してＵＲＬにあるユーザ辞書管理サーバ１と接続する。更に、制御部２１は、新語管理テーブル２５からユーザＩＤを読み出して、ユーザ辞書管理サーバ１に対して、新語情報の供給依頼（読み出したユーザＩＤを添付）を行う。更に、制御部２１は、図示していないタイマを起動し、予め決められた時間内に応答があるかどうかを待つ。（図１０のステップＳ２６７〜Ｓ２６９）。
【００９１】
新語情報の供給依頼を受信したユーザ辞書管理サーバ１の動作については、上記のユーザ端末２のメール受信時におけるユーザ辞書管理サーバ１の動作（図８のフローチャートを参照）と同じなので説明を省略する。
【００９２】
ステップＳ２６９において、インタフェース部２２を介して新語情報を応答として受信したユーザ端末２の制御部２１は、受信した応答の内容が新語情報かどうかを確認する。この場合、新語情報なので、制御部２１は、受信した新語情報をユーザ辞書２４に登録することでユーザ情報を更新する。登録が終了すると、制御部２１は、インタフェース部２２を介してユーザ辞書２４の更新完了通知をユーザ辞書管理サーバ１に送信し、新語情報供給依頼処理を終了する。（図９のステップＳ２７０〜Ｓ２７２）。
【００９３】
更に、ユーザ端末２の制御部２１は、監視タイマを再起動し、監視タイマによる割り込み処理を終了する。（ステップＳ２７４）。
【００９４】
上記の説明では、規定値α以上になった新語情報をユーザ端末１に送信するようにしたが、新語情報を送らないで、共通辞書１４の内容を送るようにして、ユーザ端末内のユーザ辞書２４を更新するようにしても良い。上記で説明したフローチャートの内、説明が異なる点を以下に説明する。
【００９５】
すなわち、図５のステップＳ１１０において、制御部１１は、ユーザ辞書データベース１３内の新語情報エリアに新語情報を登録しないで共通辞書１４が更新されたことを示す識別情報（例えば、「更新」）を登録する。図８のステップＳ１２１において、制御部１１は、新語供給エリアに新語情報が登録されているかの確認の代わりに、新語供給エリアに「更新」が登録されているかを確認する。図８のステップＳ１２３において、制御部１１は、新語通知エリアから新語情報を読み出して依頼元に送信する代わり、に共通辞書１４内の新語情報登録辞書の内容（更新された辞書情報）を読み出して依頼元に送信する。図９のステップＳ２２６、図１０のステップＳ２３５、図１１のステップＳ２７１において、制御部２１は、新語情報を登録する代わりに、新語情報登録辞書の内容（更新された辞書情報）をユーザ辞書２４に登録する（この場合、上書きする）。
【００９６】
上記の説明では、ユーザ端末２を携帯端末としたが、ユーザ端末２がパソコン、ワークステーション等の端末であっても良いし、システムが携帯端末とパソコン等とを混在させたユーザ端末２を含んでいても良い。
【００９７】
また、上記の説明では、ユーザ端末２を携帯端末として説明したが、パソコン等の情報処理装置をユーザ端末２として使用しても良い。
【００９８】
以上説明したように、ユーザ辞書管理サーバ１は、ユーザ端末数が規定値α以上になったときに新語情報を市場で認知されたまたは市場に認知されつつあると判断してユーザ情報データベース１３内に保存する。更にユーザ端末２が新語情報供給依頼を行うことによりユーザ辞書管理サーバ１からユーザ情報データベース１３内に保存された新語情報を取得し、ユーザ辞書２４に登録することで更新するようにしている。そのため、ユーザ端末２は、最新の用語に対応したカナ漢字変換辞書として使用することができる。更に、ユーザ端末２が新語情報供給依頼を、ユーザ辞書管理サーバ１に定期的に行っているか、または／およびメール送信時に行っているため、自動的にユーザ端末２内のユーザ辞書に２４に登録することができる。
【００９９】
また、以上説明したように、ユーザ辞書管理サーバ１は、ユーザ端末数が規定値α以上になったときに新語情報を市場で認知されたまたは市場に認知されつつあると判断して共通辞書１４に登録する。そのため、ユーザ辞書管理サーバ１は、市場で認知されたまたは市場に認知されつつあると判断された新しい用語を共通辞書１４に自動的に登録することができる。
【図面の簡単な説明】
【０１００】
【図１】本発明の実施の形態における全体のシステムの構成を示すブロック図である。
【図２】図１のユーザ辞書管理サーバのユーザ辞書データベース内の構成の概略を示す構成概略図である。
【図３】図１のユーザ辞書管理サーバの新語管理テーブル内の構成の概略を示す構成概略図である。
【図４】図１のユーザ端末の新語管理テーブル内の構成の概略を示す構成概略図である。
【図５】図１のユーザ辞書管理サーバが新語情報使用通知を受信した場合の動作を示すフローチャートである。
【図６】図１のユーザ端末がメールを送信した場合の動作を示すフローチャートである。
【図７】図１のユーザ端末がユーザの画面処理による新語情報使用通知処理を行う場合の動作を示すフローチャートである。
【図８】図１のユーザ辞書管理サーバが新語情報供給依頼を受信した場合の動作を示すフローチャートである。
【図９】図１のユーザ端末がメールを受信した場合の動作を示すフローチャートである。
【図１０】図１のユーザ端末がユーザの画面処理により新語情報供給依頼を行う場合の動作を示すフローチャートである。
【図１１】図１のユーザ端末が監視タイマ割込の場合の動作を示すフローチャートである。
【符号の説明】
【０１０１】
１    ユーザ辞書管理サーバ
２    ユーザ端末
１１，２１    制御部
１２，２２    インタフェース部
１３    ユーザ情報データベース
１４    共通辞書
１５，２５    新語管理テーブル
２３    操作部
２４    ユーザ辞書
９０１    通信ネットワーク
【図１】
2005275446.tif 000003
【図２】
2005275446.tif 000004
【図３】
2005275446.tif 000005
【図４】
2005275446.tif 000006
【図５】
2005275446.tif 000007
【図６】
2005275446.tif 000008
【図７】
2005275446.tif 000009
【図８】
2005275446.tif 000010
【図９】
2005275446.tif 000011
【図１０】
2005275446.tif 000012
【図１１】
2005275446.tif 000013